(57)【要約】【課題】容器本体の側壁部に沿って縦方向に移動するボタンにより、内容物のポンピング動作が行われるようにし、ポンピングのための十分なストロークを確保すると共に、容器本体に対するボタンの突出高さを最小化することができるディスペンサ容器を提供する【解決手段】上部が開放された内部の収容空間を有する外部容器と、前記外部容器の内部に縦方向移動可能に挿入され、内部に内容物が収容される内部容器と、前記外部容器の側壁部に沿って縦方向移動可能に結合されたボタンと、前記ボタンと内部容器を連結し、両側を一体で移動させる連結手段と、前記内部容器の出口部分に結合され、内部容器の乗降により、内容物をポンピングして外部に排出させるポンピング部と、を備える。【選択図】図３
0003163023.tif 000002
【実用新案登録請求の範囲】
【請求項１】
上部が開放された内部の収容空間を有する外部容器１０１と、
前記外部容器１０１の内部に縦方向移動可能に挿入され、内部に内容物が収容される内部容器１１０と、
前記外部容器１０１の側壁部に沿って縦方向移動可能に結合されたボタン１３０と、
前記ボタン１３０と内部容器１１０を連結し、両側を一体で移動させる連結手段と、
前記内部容器１１０の出口部分に結合され、内部容器１１０の乗降により、内容物をポンピングして外部に排出させるポンピング部１２０と、を備えるディスペンサ容器。
【請求項２】
前記連結手段は、前記外部容器１０１の内壁面に沿って移動可能に、前記内部容器１１０の周縁部に結合された可動スリーブ１３１からなり、この可動スリーブ１３１の外周面に前記ボタン１３０が結合されることを特徴とする請求項１に記載のディスペンサ容器。
【請求項３】
前記内部容器１１０の下部の内側には、内容物の排出によって上向き移動されるエアレスピストン１１１が設けられ、その上部には、出口１５５を有する内部キャップ１５３が結合され、
前記ポンピング部１２０は、前記内部キャップ１５３に固定され、出口１５５と連通する疎通路１２２を有する支持管体１２１と、前記内部容器１１０の上部に結合され、スプリング１２３によって、支持管体１２１の下側に弾性力を受けるように設置された栓部１２８と、この栓部１２８の内側に結合され、流入口１２９ｂから内部容器１１０の内部に連通した圧力室１２９ａが設けられた加圧体１２９と、前記支持管体１２１に挿入結合され、加圧体１２９の圧力室１２９ａと支持管体１２１の疎通路１２２を連結させる連通路１２５を形成し、下部に弁体１２６が設けられた弁軸１２４と、前記弁体１２６と密着または離隔するように、前記加圧体１２９の内部に固定された弁座１２７と、を備えることを特徴とする請求項１または２に記載のディスペンサ容器。
【考案の詳細な説明】
【技術分野】
【０００１】
本考案は、ディスペンサ容器に関し、より詳しくは、容器本体の側方に設けられたボタンを上下方向に動かすことによりポンピング動作が行われる構造を有し、内容物をより便利に排出させることができるのみならず、容器本体の表面に対するボタンの突出高さが最小化され、製品の外観品質を高めることができ、製品保管及び陳列のための空間所要を減らすことができるディスペンサ容器に関する。
【背景技術】
【０００２】
一般に、ディスペンサ容器は、一側に設けられたポンプを押圧すると、内容物が外部に排出される構造からなり、化粧品や医薬品、洗剤等の液状製品の包装用として広く用いられている。
ところが、従来のディスペンサ容器は、上部のキャップ部分に設けられたプッシャーを押圧してポンピング動作が行われる構造からなるため、使用者が容器の本体部分をつかんだ状態で、遠く離れたプッシャーを押圧しなければならないという使用上の不便があった。
このような問題を解決するためのものとして、使用者が手でよくつかむ容器本体の側壁部にプッシュボタンを設置し、このプッシュボタンを押圧すると、ポンピング動作が行われるディスペンサ容器が提示されたことがある。
しかしながら、このような従来の側方ボタン式のディスペンサ容器は、容器本体の半径方向の内側にプッシュボタンを押圧する作動構造を有するので、プッシュボタンのストロークを小さくする場合、ポンピング動作が非効率的に行われ、プッシュボタンの作動回数当たりのポンピング量が少なく、使い勝手が悪い。これにより、従来のディスペンサ容器は、適正量のポンピングのための作動ストロークの確保のために、プッシュボタンが容器本体の側方に相当な高さで突出するしかなく、このため、製品の外観品質が低下し、保管及び陳列にもより多くの空間を占めるという問題点があった。
【考案の概要】
【考案が解決しようとする課題】
【０００３】
本考案は、上記問題点に鑑みなされたものであり、容器本体の側壁部に沿って縦方向に移動するボタンにより、内容物のポンピング動作が行われるようにし、ポンピングのための十分なストロークを確保すると共に、容器本体に対するボタンの突出高さを最小化することができるディスペンサ容器を提供することを目的とする。
【課題を解決するための手段】
【０００４】
上記の課題を解決するために、本考案によるディスペンサ容器は、上部が開放された内部の収容空間を有する外部容器と、前記外部容器の内部に縦方向移動可能に挿入され、内部に内容物が収容される内部容器と、前記外部容器の側壁部に沿って縦方向移動可能に結合されたボタンと、前記ボタンと内部容器を連結し、両側を一体で移動させる連結手段と、前記内部容器の出口部分に結合され、内部容器の乗降により、内容物をポンピングして外部に排出させるポンピング部と、を備える。
好ましくは、前記連結手段は、前記外部容器の内壁面に沿って移動可能に、前記内部容器の周縁部に結合された可動スリーブからなり、この可動スリーブの外周面に前記ボタンが結合された構造からなってもよい。
より好ましくは、前記内部容器の下部の内側には、内容物の排出によって上向き移動されるエアレスピストンが設けられ、その上部には、出口を有する内部キャップが結合され、前記ポンピング部は、前記内部キャップに固定され、出口と連通する疎通路を有する支持管体と、前記内部容器の上部に結合され、スプリングによって、支持管体の下側に弾性力を受けるように設置された栓部と、この栓部の内側に結合され、流入口から内部容器の内部に連通した圧力室が設けられた加圧体と、前記支持管体に挿入結合され、加圧体の圧力室と支持管体の疎通路を連結させる連通路を形成し、下部に弁体が設けられた弁軸と、前記弁体と密着または離隔するように、前記加圧体の内部に固定された弁座と、を備えてもよい。
【考案の効果】
【０００５】
本考案のディスペンサ容器によると、容器をつかむとき、使用者の手に近い位置にボタンが設けられるのみならず、ボタンを容器の縦方向に移動させてポンピングが行われる作動構造を備えることにより、ボタンの作動ストロークを大きくしても、外部に突出するボタンの高さを最小化することができ、使用者の便宜性が向上し、製品の外観品質及び陳列の便宜性も向上する効果を奏する。
また、外部容器の内部で内部容器が乗降され、エアレスピストンが内容物の排出によって移動される簡単なポンピング構造を備えることにより、容器に入れた内容物が減っても、製品の外形がそのまま維持され、使用後、内部に残留されて捨てられる内容物が殆どなく、製品の作動信頼性及び耐久性を向上させることができる効果を奏する。
【図面の簡単な説明】
【０００６】
【図１】本考案によるディスペンサ容器の一実施例を示す部分切欠斜視図である。
【図２】図１に示した本考案によるディスペンサ容器の分解斜視図である。
【図３】図３及び図４は、図１に示した本考案によるディスペンサ容器の内部構成をそれぞれ閉鎖及び開放状態として示す断面図である。
【図４】図３及び図４は、図１に示した本考案によるディスペンサ容器の内部構成をそれぞれ閉鎖及び開放状態として示す断面図である。
【考案を実施するための形態】
【０００７】
本考案の上記並びにその他の目的、特徴、及び長所は、以下の詳細な説明から明らかにされるであろう。以下、添付した図面に基づき、本考案の好適な実施例について詳述する。
図１及び図２は、本考案によるディスペンサ容器の一実施例を、それぞれ部分切欠及び分解状態として示す斜視図であり、図３及び図４は、前記容器をそれぞれ閉鎖及び開放状態として示す断面図である。
図１乃至図４に示すように、本考案のディスペンサ容器は、内部に収容空間が形成され、上部が開口したシリンダ状からなり、側壁部の一側に案内孔１０３が形成された外部容器１０１と、この外部容器１０１の内部に乗降可能に挿入された内部容器１１０と、前記案内孔１０３によって縦方向移動可能に前記内部容器１１０に結合され、内部容器１１０を乗降させるボタン１３０と、前記内部容器１１０の上部に設けられたポンピング部１２０と、このポンピング部１２０の上部に結合され、内容物が排出される出口１５５が形成された内部キャップ１５３と、この内部キャップ１５３の上部に着脱可能に結合される外部キャップ１５１と、からなる。
前記内部容器１１０の内部の下側には、内容物の排出によって上向き移動するエアレスピストン１１１が設けられ、周縁部には、前記ボタン１３０の移動に連動して内部容器１１０を移動させる連結手段としての可動スリーブ１３１が結合される。
一方、前記ボタン１３０と内部容器１１０の連結手段は、図示の実施例に限定されるものではなく、例えば、前記ボタン１３０と内部容器１１０にそれぞれ互いに結合または噛合される突起と溝、または係止段を形成した構造等、ボタン１３０と内部容器１１０が一緒に移動可能に両側を連結する通常の多様な構造からなってもよい。
前記内部キャップ１５３は、図示のように、製造上の便宜のために、上部体１５３ａと下部体１５３ｂに分割された構造からなってもよく、一体型の構造からなってもよい。
前記ポンピング部１２０は、前記内部キャップ１５３に固定され、出口１５５と連通する疎通路１２２を有する支持管体１２１と、前記内部容器１１０の上部に結合され、スプリング１２３によって支持管体１２１の下側に弾性力を受けるように設置された栓体１２８と、栓体１２８の内側に結合され、内部に圧力室１２９ａを形成する加圧体１２９と、前記支持管体１２１に挿入結合され、加圧体１２９の圧力室１２９ａと支持管体１２１の疎通路１２２を連結させる連通路１２５が縦方向に形成され、下部に弁体１２６が設けられた弁軸１２４と、前記弁体１２６と密着して、前記加圧体１２９の内部に固定された弁座１２７と、からなる。
前記加圧体１２９の下部には、内部容器１１０に入れた内容物が流入されるように流入口１２９ｂが形成される。
このように構成された本考案によるディスペンサ容器は、前記ボタン１３０の乗降動作によって内容物のポンピングが行われる。すなわち、使用者が外部容器１０１を手でつかんだ状態で、前記ボタン１３０を押して上向き移動させると、可動スリーブ１３１から伝達された力によって、内部容器１１０が外部容器１０１に対して上側に移動し、これにより、弁体１２６が弁座１２７と離隔すると共に、加圧体１２９の内部に流入された内容物が加圧され、前記連通路１２５及び疎通路１２２から出口１５５に排出される。また、ボタン１３０に加えた上向き力を解除すると、前記スプリング１２３によって、内部容器１１０が元の位置に下向き移動され、排出された内容物の容積だけ、エアレスピストン１１１が上向き移動される。このような動作を繰り返して行うことにより、適正量の内容物を外部にポンピングして排出させることができる。
このように、本考案によるディスペンサ容器は、ポンピング部１２０の作動のためのボタン１３０が、外部容器１０１の側壁部に設けられ、容器をつかんだ状態で、より便利に内容物を排出して使うことができるのみならず、前記ボタン１３０が外部容器１０１に側壁部に沿って縦方向に乗降される構造を有するので、ボタン１３０のストロークを大きくし、作動の便宜性を高めると共に、ボタン１３０の外部に突出される高さが最小化され、製品の外観品質を向上させることができ、保管及び陳列時も、各製品を密着させてより効率的な配置が可能となる。
また、内部容器１１０が外部容器１０１に対して乗降可能にし、内部容器１１０の下部にエアレスピストン１１１を設けることにより、ポンピング部１２０の構造を上記のように簡潔にし、作動信頼度及び耐久性を向上させることができ、内容物が排出されても、容器の外形が維持され、内容物が残留しないように、殆ど完全に排出して使うことができるようになる。
上述した本考案は、上記した実施例及び添付図面によって限定されるものではなく、本考案の技術的思想を逸脱しない範囲内で、様々な置換、変形及び変更が可能であることは、本考案の属する技術の分野における通常の知識を有する者にとって明白であろう。
【図１】
0003163023.tif 000003
【図２】
0003163023.tif 000004
【図３】
0003163023.tif 000005
【図４】
0003163023.tif 000006